(57)【要約】  加工電源からの給電が安定して行われることで高精度の切断加工をすべく、本発明では、ワイヤ（３）をメインガイドローラ（１ａ）〜（１ｄ）間に複数回巻き掛けて、同時に複数の切断加工を行うワイヤ放電加工装置において、複数本のワイヤ（３）の給電子へのワイヤ架け作業を短縮し、切断ワイヤ部（ＣＬ）に対して均一な給電を行い、安定した加工を企図し、複数の給電子を整列位置にしたがってユニットごとに、給電対象とする各切断ワイヤ部のワイヤ並列間隔に対応して整列し、かつ、切断ワイヤ部に対して少なくとも１本おきに給電するように配置される構成とした。
2014188754.tif 000002
【特許請求の範囲】
【請求項１】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
給電対象とする各切断ワイヤ部のワイヤ並列間隔に対応して整列し、前記複数の並列ワイヤ部にそれぞれ接触して給電する複数の給電子を備え、隣接する各給電子が少なくとも１本おきに前記並列ワイヤ部に給電するように配列された給電子ユニットと、
給電子とワイヤとの間に電圧を印加して放電を生起する加工電源と、
を備えたワイヤ放電加工装置。
【請求項２】
同一の前記給電子ユニットにおいて整列する給電子は、互いに電気的に接続されており、
前記給電子ユニットは、両端に軸端支持部を有する給電子ホルダを備え、前記給電子の位置制御が可能である請求項１に記載のワイヤ放電加工装置。
【請求項３】
前記給電子ユニットは、直径が小さい円柱部分である軸部と、この軸部に所定の間隔で形成され、前記軸部よりも直径が大きい円柱部分からなり外周面にワイヤ案内用の溝を有する給電部とを有し、
前記軸部の端部の支持位置を回転させることによって、給電子の前記ワイヤとの接触面を変更可能に構成された請求項２に記載のワイヤ放電加工装置。
【請求項４】
前記給電子ユニットの前記軸部の端が正多角柱に加工され、
前記給電子ユニットを支持する給電子ホルダの前記軸端支持部も正多角柱にくり貫き加工されている請求項３に記載のワイヤ放電加工装置。
【請求項５】
前記給電子ユニットは前記軸端支持部に転がり軸受けを備え、回転可能である請求項２から４のいずれか１項に記載のワイヤ放電加工装置。
【請求項６】
前記給電子ユニットの軸端にスリップリングあるいは給電ブラシを備え、
前記加工電源から前記給電ブラシに給電される請求項５に記載のワイヤ放電加工装置。
【請求項７】
前記給電子ユニットは、前記並列ワイヤ部の配列幅方向全体にわたるように配置され、各給電子ユニットの幅方向で全ての前記給電子が重なり部を持たないように、等間隔で分散された請求項１に記載のワイヤ放電加工装置。
【請求項８】
前記給電子ユニットは、４本で構成され、各給電子ユニットを構成する給電子は３本おきに、前記並列ワイヤ部に給電するように構成された請求項７に記載のワイヤ放電加工装置。
【請求項９】
前記給電子ユニットは、整列単位毎に一体成型された請求項１から８のいずれか１項に記載のワイヤ放電加工装置。
【請求項１０】
請求項１から請求項９のいずれか１項に記載のワイヤ放電加工装置を用いて、
前記給電子ユニットに対して前記加工電源から一括給電し、被加工物から複数枚の薄板を作製する薄板の製造方法。
【請求項１１】
請求項１から請求項９のいずれか１項に記載のワイヤ放電加工装置を用いて、
前記給電子に対して前記加工電源から一括給電し、半導体素材から複数枚の半導体ウエハを作製する半導体ウエハの製造方法。
【発明の詳細な説明】
【技術分野】
【０００１】
本発明は、ワイヤ放電加工装置、これを用いた薄板の製造方法及び半導体ウエハの製造方法に関する。
【背景技術】
【０００２】
従来、ワイヤ放電加工を用いて、柱状の被加工物から薄板形状のウエハを切断加工により作製する場合、上記切断加工の生産性を向上させるために、多数のワイヤを用いて同時に加工を行うべく、１本のワイヤを複数のガイドローラ間に繰り返し巻き掛ける方式が提案されている。この方式のワイヤ放電加工装置は、ワイヤが一定ピッチに並行して配置された切断ワイヤ部を形成し、この切断ワイヤ部を被加工物に近接させると共に、給電子を用いて切断ワイヤ部を構成するそれぞれのワイヤに個別に給電することで、各切断ワイヤ部と被加工物との間で同時並列的に放電を生起し、複数箇所で並行して切断加工を行うものである（例えば、特許文献１参照）。
【先行技術文献】
【特許文献】
【０００３】
【特許文献１】特開２０００−９４２２１号公報
【発明の概要】
【発明が解決しようとする課題】
【０００４】
上記のようなワイヤ放電加工装置では、切断ワイヤ部を構成するそれぞれのワイヤに対して個別の加工電源から給電するために、各給電子は互いに分離・独立し、電気的に絶縁されている。各給電子を互いに電気的に絶縁するためには、隣接する給電子間に絶縁材を介在させる。また、複数の給電子を貫通して位置をそろえるための整列棒を、非導電性材料で製作する。もしくは、その表面に非導電性物質の被覆を施すことで、各給電子は互いに接触することなく、また、電気的に導通することなく組み立てられている。このとき、複数の給電子のそれぞれが、給電対象とする切断ワイヤ部の各ワイヤの並列間隔に対応して各給電子も整列するように組み立てることで、ある給電子のワイヤが架かる溝にワイヤを架けると、その他の並列する給電子に対してもそれらに対応するワイヤが架けられる。それゆえ、各給電子の組み立てでは、各給電子間に介在させる絶縁材などの挿入物による給電子間隔の調整と、給電子を整列させるための整列棒が貫通した状態での閉め込み量の調整により各給電子間隔が微調整される。ところが、複数の給電子の組み立てにおいて、切断ワイヤ部を構成する隣接ワイヤ同士の間隔が数百μｍ程度であるのに対して、その隣接ワイヤ間隔のばらつきの許容値には十数μｍ〜数十μｍ以下が要求される。したがって、このような高い精度で給電子を整列させるためには、高度な給電子組立て技術と組み立てられた給電子間の距離を正確に測定する検査技術が必要とされ、加工現場において、各給電子の整列間隔を微調整することは容易ではなかった。【０００５】
本発明は、上記に鑑みてなされたもので、加工電源からの給電が安定して行われることで高精度の切断加工ができ、加工の信頼性の高いワイヤ放電加工装置、これを用いた薄板の製造方法及び半導体ウエハの製造方法を得ることを目的とする。
【課題を解決するための手段】
【０００６】
上述した課題を解決し、目的を達成するために、間隔をおいて平行に配設された一対のガイドローラと、前記一対のガイドローラ間に一定のピッチで離間しながら複数回巻き掛けられ、ガイドローラの回転に伴って走行すると共に一対のガイドローラ間で互いに離間した複数の並列ワイヤ部を形成する一本のワイヤと、一対のガイドローラ間に設けられ、並列ワイヤ部にそれぞれ従動接触して制振した切断ワイヤ部を形成する一対の制振ガイドローラと、給電対象とする各切断ワイヤ部のワイヤ並列間隔に対応して整列し、複数の並列ワイヤ部にそれぞれ接触して給電する複数の給電子を備え、隣接する各給電子が少なくとも１本おきに並列ワイヤ部に給電するように配列された給電ユニットと、電子とワイヤとの間に電圧を印加した放電を生起する加工電源とを備えたことを特徴とする。
【発明の効果】
【０００７】
本発明によれば、給電対象とする各切断ワイヤ部のワイヤ並列間隔に対応して整列し、複数の並列ワイヤ部にそれぞれ接触して給電する複数の給電子を備え、隣接する各給電子が少なくとも１本おきに前記並列ワイヤ部に給電するように配列された給電ユニットを具備している。このため、給電電流の回り込み量が大きいのは隣接するワイヤに対してであり、隣接ワイヤに隣接するワイヤ、すなわち、２本隣りのワイヤへの回り込み電流は急激に減少する。したがって、ワイヤ１本分以上の間隔をあけて給電することになり、回り込み電流（漏れ電流）による加工への影響を低減することができる。また、給電子間の整列精度が向上し、複数本の並列ワイヤに対する位置ずれを起こしにくくし、被加工物から同時に薄板を加工したときの加工精度を向上できる。また、給電子の組立て及び調整を容易にし、加工段取りを簡略化し、加工準備時間を短縮することができるという効果を奏する。
【図面の簡単な説明】
【０００８】
【図１】図１は、本発明の実施の形態１のワイヤ放電加工装置の全体構成を示す斜視図である。
【図２】図２は、本発明の実施の形態１のワイヤ放電加工装置の給電子の概略を示す構成図である。
【図３】図３は、本発明の実施の形態１のワイヤ放電加工装置の給電子の配列状態及び並列ワイヤ部への給電状態を示す図であり、（ａ）は上面図、（ｂ）は側面図である。
【図４】図４は、本発明の実施の形態１のワイヤ放電加工装置の給電子の構造を示す説明図である。
【図５】図５は、本発明の実施の形態１のワイヤ放電加工装置を用いた加工状態を示す図であり、（ａ）は、加工中の状態を示す図であり、（ｂ）は、加工後の１枚のウエハを示す図である。
【図６】図６は、本発明の実施の形態２におけるワイヤ放電加工装置の全体構成を示す斜視図である。
【図７】図７は、本発明の実施の形態２に係る給電子の概略を示す構成図である。
【図８】図８は、本発明の実施の形態２のワイヤ放電加工装置を用いた加工状態を示す図であり、（ａ）は、加工中の状態を示す図であり、（ｂ）は、加工後の１枚のウエハを示す図である。
【図９】図９は、本発明の実施の形態３におけるワイヤ放電加工装置の給電子部分の構成部品と構造を示す構成図である。
【発明を実施するための形態】
【０００９】
以下に、本発明にかかるワイヤ放電加工装置、これを用いた薄板の製造方法及び半導体ウエハの製造方法の実施の形態を図面に基づいて詳細に説明する。なお、この実施の形態によりこの発明が限定されるものではない。また、以下の実施の形態で用いられる装置は模式的なものであり、各部品の大きさの比率などは現実のものとは異なる場合もある。
【００１０】
実施の形態１．
図１は、本発明の実施の形態１に係るワイヤ放電加工装置の主要部の構成を示す側面図である。本実施の形態１のワイヤ放電加工装置は、４本のメインガイドローラ１ａ〜１ｄと、これらメインガイドローラ１ａ〜１ｄ間に一定のピッチで離間しながら複数回巻回されて一対のメインガイドローラ１ｃ，１ｄ間に並列ワイヤ部ＰＳを形成し、これらメインガイドローラ１ａ〜１ｄの回転に伴って走行する一本のワイヤ３と、並列ワイヤ部ＰＳに従動接触して、制振する複数の切断ワイヤ部ＣＬを形成する一対の制振ガイドローラ７ａ，７ｂと、複数の切断ワイヤ部ＣＬにそれぞれ給電する給電子（給電子ユニット６ａ〜６ｄ）と、ワイヤボビン２及びワイヤ巻取りボビン４と、切断ワイヤ部ＣＬに対して被加工物５を、切断ワイヤ部ＣＬを構成するワイヤ３の並列方向、及び、各切断ワイヤ部ＣＬを構成するワイヤ３の並列方向と直角方向に相対的に移動する手段とを備えている。一体成形された複数の給電子が、互いに電気的に接続された２対の給電子ユニット６ａ−６ｂ，６ｃ−６ｄを構成しており、各給電子ユニットは、両端に軸端支持部を有する給電子ホルダ６０ａ，６０ｂ（図１では図示せず）を備え、位置制御が可能である（図３（ａ）および（ｂ））。また、加工電源１０が複数の給電子（給電子ユニット６ａ〜６ｄ）とワイヤ３との間に電圧を印加して放電を生起する。これら複数の給電子（給電子ユニット６ａ〜６ｄ）は、給電対象とする各切断ワイヤ部ＣＬのワイヤ並列間隔に対応して整列している。そして加工電源は、前記切断ワイヤ部ＣＬに対して３本おきに給電するように配置される各給電ユニット６ａ〜６ｄに対して給電する。また、同一の給電子ユニット６ａ〜６ｄにおいて整列する給電子は互いに電気的に接続されている。
【００１１】
メインガイドローラ１ａ〜１ｄはワイヤ走行系を構成する主要なガイドローラで、このワイヤ放電加工装置では、同じ直径の４本のメインガイドローラが互いに平行に間隔をおいて配置されている。ワイヤボビン２から繰り出された一本のワイヤ３は、順次、４本のメインガイドローラ１ａ〜１ｄ間にまたがって、一定のピッチで離間しながら繰り返し巻き掛けられている。ワイヤ３はメインガイドローラ１ａ〜１ｄの回転に伴って走行し、最後にワイヤ巻取りボビン４に至る。メインガイドローラ１ｃ，１ｄは被加工物５を挟む位置に設置され、ワイヤ３が両メインガイドローラ間に一定の張力で展張されることにより、互いにメインガイドローラの軸方向に離間した複数の並列ワイヤ部ＰＳを構成する。なお、本明細書においては、並列ワイヤ部ＰＳはメインガイドローラ１ｃから送り出されてメインガイドローラ１ｄに巻き掛かるまでの部分を指すことにする。上記並列ワイヤ部ＰＳ内で、被加工物５に対向する部分を含む直線的に展張された領域が切断ワイヤ部ＣＬとなる。図１は、被加工物５の切断が開始されて被加工物５の内部に切断ワイヤ部ＣＬが進行した状態を示している。
【００１２】
並列ワイヤ部ＰＳに接触して配置される給電子ユニット６ａ〜６ｄは、切断ワイヤ部ＣＬに対して電圧パルスを供給する電極であり、図１では被加工物５の両側に各２列配置されている。また、並列ワイヤ部ＰＳ上の、給電子ユニット６ａ〜６ｄから切断ワイヤ部ＣＬ寄りの位置に制振ガイドローラ７ａ，７ｂが配置され、制振ガイドローラ７ａ，７ｂの表面に形成されているワイヤ案内用溝にワイヤ３が常に掛けられた状態が維持されてワイヤ３をガイドする。すなわち、制振ガイドローラ７ａ，７ｂは、一対のメインガイドローラ間に設けられ、並列ワイヤ部ＰＳにそれぞれ従動接触する、メインガイドローラに比較して小径のガイドローラである。そして、これら制振ガイドローラ７ａ，７ｂは、切断ワイヤ部ＣＬ間のワイヤ３が直線状に展張されるようにワイヤ３を支持し、制振ガイドローラ７ａ，７ｂ間の切断ワイヤ部ＣＬはワイヤ振動が抑制されて走行位置がほぼ静止状態となっている。さらに、切断ワイヤ部ＣＬを挟む位置にノズル８（８ａ，８ｂ）が配置されており、向かい合わせに配置されたノズル８ａ，８ｂから、切断ワイヤ部ＣＬに沿って被加工物５の切断部に向かって加工液を噴出する。切断ワイヤ部ＣＬはノズル内面と接触しないように、ノズル８ａ，８ｂ内を貫通している。ステージ９は被加工物５を載せて上昇、下降を行う台である。
【００１３】
ワイヤ３は図１では、４本のメインガイドローラ１ａ〜１ｄのそれぞれについて、ローラ外周の一部分（約１／４周）だけ巻き掛かっており、４本のメインガイドローラ１ａ〜１ｄ全体に対して周回している。メインガイドローラ１ａ〜１ｄは、ワイヤボビン２からワイヤ巻取りボビン４に至る経路を構成し、被加工物５が切断ワイヤ部ＣＬを通過するための空間を確保するように構成されている。メインガイドローラ１ｃ，１ｄは駆動式ガイドローラであり、その上方に配置されたメインガイドローラ１ａ，１ｂは、従動式ガイドローラである場合が多い。駆動式ガイドローラは、回転軸がモータの回転軸と直接ベルトなどで接続されることで回転力が伝達されて駆動する。これに対して、従動式ガイドローラには、モータの回転による駆動力を発生せず、巻き掛けられたワイヤ３の走行に伴って、ワイヤ３の摩擦によって回転するものである。制振ガイドローラ７ａ，７ｂは、並列ワイヤ部ＰＳに接触して配置された従動式のガイドローラであり、ワイヤ３の走行に伴い従動することによって回転する。
【００１４】
図１において、メインガイドローラ１ａ〜１ｄの軸の周りに描かれている矢印は各メインガイドローラ１ａ〜１ｄの回転方向を、ワイヤ３に沿って描かれている矢印はワイヤ３の走行方向を示す。メインガイドローラ１ａ〜１ｄは円柱状の芯金に、例えば、ウレタンゴムを巻き付けたローラであり、芯金の両端がベアリングで支持されて回転可能な構造となっている。ウレタンゴムはワイヤ３との摩擦係数が高いことから、ガイドローラ上でワイヤ３がスリップすることを防止するのに適している。また、メインガイドローラ１ａ〜１ｄのワイヤ３が接触するローラ表面には、ワイヤ巻き掛けピッチと同間隔で複数本の溝が形成されており、それぞれの溝内でワイヤ３が巻き掛る。このとき、等間隔に並列配置された切断ワイヤ部ＣＬ間の距離（巻掛ピッチ）は一定であり、半導体ウエハの場合、例えば、０．１ｍｍ〜０．８ｍｍ程度である。駆動式のメインガイドローラにおいては、ワイヤを引っ張る力を得ることが出来るとともに、従動式のメインガイドローラにおいてはローラを回転させる回転力が得られる。これらのガイドローラ、被加工物５は加工液中に浸漬されており、各切断ワイヤ部ＣＬは加工液中で被加工物５に対向して、同時に並行して切断加工を行う。
【００１５】
制振ガイドローラ７ａ，７ｂは従動式ガイドローラで、メインガイドローラ１ａ〜１ｄと比べて形状精度、回転精度、及び取り付け精度の高いガイドローラであり、被加工物５を挟む位置に２本用いられる。制振ガイドローラ７ａ，７ｂは、展張された並列ワイヤ部ＰＳに対して押し込まれてワイヤ３が外周の一部に掛かるようになっている。その結果、制振ガイドローラ７ａ，７ｂ間のワイヤ３が直線状に展張されるとともに、ワイヤ３の走行方向が曲げられた状態になって、ワイヤ３の走行中、常にワイヤ３が掛かった状態が維持される。制振ガイドローラ７ｂに掛かる前に振動を伴っていたワイヤ３が、制振ガイドローラ７ｂに確実に掛かることで、振動しながら走行するワイヤ３の振動を遮断する。また、同様に制振ガイドローラ７ａから送り出されたワイヤ３に加えられた振動が、制振ガイドローラ７ａで遮断される。その結果、２本の制振ガイドローラ７ａ，７ｂはワイヤ走行に伴いワイヤ３との摩擦力によって回転しながら、制振ガイドローラ７ａ，７ｂ間の直線状領域にワイヤ振動がほとんどない状態を作り出している。すなわち、制振ガイドローラ７ａ，７ｂによって、メインガイドローラ１ａ〜１ｄから切断ワイヤ部ＣＬへの振動伝播を抑制し、微視的な走行位置が一定になるようにワイヤ３を精密にガイドすることが可能となる。
【００１６】
制振ガイドローラ７ａ，７ｂは切断ワイヤ部ＣＬに連なるワイヤ３の走行方向を曲げることはあっても、被加工物５が切断ワイヤ部ＣＬを通過するための空間を確保する作用は有していない。ワイヤ３が接触するローラ表面には、切断ワイヤ部ＣＬの間隔と同間隔のワイヤ案内用のＶ字状溝ＧＷがあり、各溝ＧＷにワイヤ３が１本ずつ架けられる。
【００１７】
切断ワイヤ部ＣＬに対して加工電源を給電する給電子ユニット６ａ〜６ｄは、図２（ａ）に示すように、直径と高さが異なる２種類の円柱がその円柱底面に相当する円の中心を合わせて交互に積み重ねた形状をしている。直径が小さい方の円柱部分である軸部６Ｍと、この軸部６Ｍに所定の間隔で形成され、軸部よりも直径が大きい円柱部分からなり外周面にワイヤ案内用のＶ字状溝ＧＷを有する給電部６Ｓとを有している。このワイヤ案内用のＶ字状溝ＧＷは給電対象のワイヤ３に接触する部分であり、直径が小さい方の円柱部分である軸部６Ｍは給電対象ではないワイヤ３が給電子ユニットに接触しないように逃がす部分である。給電子ユニット６ａ〜６ｄはそれぞれ長さ方向に平行、かつ、円柱中心位置が同じ高さになるように配置される。切断ワイヤ部ＣＬの本数以上である給電子ユニット６ａ〜６ｄの、直径が大きい方の円柱部分である給電部６Ｓは、切断ワイヤ部ＣＬを構成する隣接ワイヤの間隔と同等の間隔で配置される。図２（ｂ）は、図２（ａ）の給電子ユニット６ｄを側面方向真横からみたものであり、給電子ユニット６ａ，６ｂ，６ｃがもっとも手前に位置する給電子ユニット６ｄに重なり、直径が小さい方の円柱部分である軸部６Ｍは隠れているが、それぞれの給電子ユニットの直径が大きい方の円柱部分である給電部６Ｓは他の給電子ユニットのそれらと重ならないため等間隔で整列し、また、直径が大きい方の円柱部分である給電部６Ｓの側面に加工されたワイヤ案内用のＶ字状溝ＧＷに切断ワイヤ部ＣＬの各ワイヤ３が架かっている状態を模式的に示している。ここではワイヤ３本おきに給電するように配置されているため、給電子側が原因で異常放電が生じた場合にも、離間した位置で生じることになり、摩耗によるワイヤの損傷を分散することができる。
【００１８】
給電子ユニット６ａ〜６ｄは、直径が大きい方の円柱部分である給電部６Ｓの直径以上の円柱部材を出発材料としそれぞれ、旋削にて一体成形加工することが容易である。ＮＣ旋盤であれば、直径が大きい方の円柱部分である給電部６Ｓと直径が小さい方の円柱部分である軸部６Ｍが繰り返し配置されるピッチも高精度に加工でき、さらに、直径が大きい方の円柱側面に形成されるワイヤ案内用のＶ字状溝ＧＷを高精度に加工することも容易である。あるいは、給電子ユニット６ａ〜６ｄの金型に対して注入された導電性材料の圧縮成形や焼結によっても高精度の給電子ユニット６ａ〜６ｄを大量に製作することができる。また、給電子ユニット６ａ〜６ｄの材質としては、超硬合金などの耐摩耗性に優れた導電性材を用いるのが望ましい。
【００１９】
給電子ユニット６ａ〜６ｄは、互いに接触しないように間隙をあけて配置され、互いに電気的に絶縁される。図１においては、給電子ユニット６ａ〜６ｄは被加工物５の両側にそれぞれ２列ずつ配置されており、給電子ユニット６ａ，６ｂ，及び給電子ユニット６ｃ，６ｄは互いに接触しないように給電子ホルダ６０ａ，６０ｂ（図１には図示せず）に収納されて配置される。図３（ａ）は、図１のメインガイドローラ１ｄ−１ｃ間の配置を上方からみた場合の上面図である。ただし、被加工物５とその両側のノズル８ａ，８ｂは省略している。給電子ホルダ６０ａには給電子ユニット６ａ，６ｂが収納され、給電子ホルダ６０ｂには給電子ユニット６ｃ，６ｄが収納されている。給電子ホルダ６０ａ，６０ｂは同形状である。収納される給電子ユニット６ａ，６ｂ，６ｃ，６ｄについては、それぞれ、直径が小さい方の円柱部分である軸部６Ｍの長さが端部で異なっている。直径が小さい方の円柱部分である軸部６Ｍの端部の長さの違いは、給電子ユニット６ａ，６ｂの端部を給電子ホルダ６０ａ，６０ｂの基準面に合わせて収納することで、ワイヤ給電部分、すなわち、給電子ユニット６ａ，６ｂの直径が大きい方の円柱部分からなる給電部６Ｓが切断ワイヤ部ＣＬの各ワイヤに対応するように予め調整されているためである。その結果、微調整することなく、給電子ホルダ６０ａ，６０ｂに給電子ユニット６ａ〜６ｄを嵌め込むだけで各給電子部分を所定のピッチで整列させることができる。
【００２０】
放電加工を行う際は、メインガイドローラ１ｃ、１ｄを回転させてワイヤ３を走行させながら、当該切断ワイヤ部ＣＬに対して所定の極間距離を隔てて被加工物５を対向させて配置した後、切断ワイヤ部ＣＬに電圧パルスを印加し、切断スピードに合わせてステージ９を上昇させる。極間距離を一定に保った状態で、並列ワイヤ部ＰＳと被加工物５とを相対移動させることにより、図５（ａ）に加工中の状態を示すように、アーク放電を継続させ、被加工物５の切断ワイヤ部ＣＬが通過した経路に対応して加工溝Ｇが形成される。したがって、図５（ｂ）に示すように、切り出される薄板であるウエハ５Ｗの厚さｔ0は、巻掛ピッチｔpから被加工物５の切り代となった加工溝Ｇの幅（加工幅）ｔ1を引いた長さである。加工幅を小さくするためワイヤ線径は小さい方が望ましく、実用的には０．１ｍｍ程度のスチールワイヤを使用することが多いが、０．０５ｍｍなど更に細線化したものを用いることもある。さらに、放電開始電圧を適切にするため、スチールワイヤの表面に黄銅などのコーティングを施しても良い。
【００２１】
切断ワイヤ部ＣＬに電圧パルスを印加するためには、給電子ユニット６ａ〜６ｄに加工電源からの給電線を接続し、給電子ユニット６ａ〜６ｄを、切断ワイヤ部ＣＬを構成する各ワイヤ３に接触させて加工電源１０からの電源を給電する。給電子ユニット６ａ〜６ｄは削り出しなどによる一体成形物であるために、同一給電子ユニットにおいて、給電子部分（直径の大きい円柱部分）は互いに電気的に導通している。したがって、加工電源１０からの給電線が給電子ユニット６ａ〜６ｄに接続され、切断ワイヤ部ＣＬを構成する各ワイヤに給電子ユニット６ａ〜６ｄが接触して給電されるが、各給電子に独立して給電することはできない。すなわち、同一の給電子ユニットに給電された加工電流は、放電が発生したワイヤに対して流れ、印加電圧はドロップするので、同一給電子ユニットで給電される他のワイヤにおいて、放電は完全に独立給電される場合に比較して同時並列的に発生しにくくなる。しかし、発明者らは、実験の結果、給電子ユニット６ａ〜６ｄに関しては、互いに独立給電の状態にあるため、これら給電子ユニット６ａ〜６ｄによって給電されるワイヤ３については同時並列的に放電が発生し、放電パルスの著しい発生頻度低下及び加工速度の著しい低下がないことを実加工により見出すに至った。
【００２２】
一方、ワイヤ３が掛かる給電子面のワイヤ案内用のＶ字状溝ＧＷの位置を基準として、複数の給電子を所定の数百μｍ間隔で並列させるためには、前述した給電子の組み立てにおいて、高精度に位置を測定できる専用装置が必要であり、慎重な作業が求められる。また、切断ワイヤ部ＣＬにおいて巻き回しが後半のワイヤほど、放電加工に繰り返し使われているため、そのワイヤ表面には放電加工による凹凸が多く形成され、さらには、放電加工によって溶融した高硬度な被加工物が再付着しており、一種の耐摩耗性被覆ワイヤとなっている。したがって、このようなワイヤが摺動する給電子では、ワイヤ接触する給電面の磨耗が激しく、給電対象ワイヤによってその給電子の交換頻度が異なってくる。特許文献１の給電子構造の場合、たとえ一個の給電子を交換する場合でも、等間隔に整列させられた複数の給電子を分解する必要があり、それらの再組立て及び調整には相当の手間を要する。
【００２３】
これに対し本実施の形態のワイヤ放電加工装置は、上記のような複数本の並列されたワイヤ３に対する安定した給電に関する高度の要求と、複数個の給電子の組立て及び調整に関する要求に応えることを意図しており、前述のように、第１の技術要素として一体成形された高精度の給電子ユニット、第２の技術要素として給電子ユニット６ａ〜６ｄを整列させて保持する給電子ホルダを有している点に特徴がある。高精度の給電子ユニット６ａ〜６ｄは、それぞれが対応する給電子ホルダ６０ａ，６０ｂに嵌め込まれ保持されることにより、切断ワイヤ部ＣＬを構成する複数本の並列ワイヤに対応して給電子ユニット６ａ〜６ｄの給電子部分を整列させることができ、給電子部分を切断ワイヤ部ＣＬの各ワイヤへ押し付ける量も一定にでき、さらに、給電子部分を各並列ワイヤに確実に接触して給電できる方式である。また、給電子ホルダ６０ａ，６０ｂによって整列せしめられたこれら複数の給電子（給電子ユニット６ａ〜６ｄ）は、給電対象とする各切断ワイヤ部ＣＬのワイヤ並列間隔に対応して整列し、加工電源は、切断ワイヤ部ＣＬに対して少なくとも１本おき（本実施の形態では３本）に給電するように配置される各給電ユニット６ａ〜６ｄに対して給電する。従って、隣接ワイヤへの給電電流の回り込みが大きい場合にも２本隣のワイヤへの回り込み電流は大幅に低減されるため、回り込み電流による加工への影響を低減することができる。また異常放電が生じた場合にも、離間した位置で生じるため、摩耗によるワイヤの損傷を分散することができる。また、同一の給電子ユニット６ａ〜６ｄにおいて整列する給電子は互いに電気的に接続されているため、給電が容易である。本実施の形態では、各給電子ユニットをワイヤ部の幅方向全体に設け、給電子ユニットの幅方向で全ての給電子が重なり部を持たないように、幅方向全体に等間隔で分散されており、３本おきに、配置されている。この構成により、各給電子ユニットの全ての給電子が、並列ワイヤ部の各並列ワイヤそれぞれに一つずつ均一に給電される。この方式では、複数個の給電子を容易に整列させることができるため、加工段取りが容易になる。また、各給電子の整列状態が不十分なことによるワイヤへの給電子の接触状態が不均一となることがなくなるため、すべてのワイヤへ加工電源が安定して給電されるのでワイヤごとに放電加工が不安定になることもない。
【００２４】
また、図４のように、給電子ユニット６ａ〜６ｄの両軸端と、給電子ユニット６ａ〜６ｄの両軸端が嵌め込まれる給電子ホルダ６０ａ，６０ｂの軸受け部分を例えば正６角形に加工しておくことで、給電子ユニット６ａ〜６ｄが給電子ホルダ６０ａ，６０ｂに嵌め込まれる際に給電子ユニット６ａ〜６ｄの軸方向中心に関して６０度の倍数分の一定角度回転させた位置で設置できる。すなわち図４のように、給電子ユニット６ａ〜６ｄの両軸端と、給電子ユニット６ａ〜６ｄの両軸端が嵌め込まれる給電子ホルダ６０ａ，６０ｂの軸受け部分を正Ｎ角形（Ｎは３以上）に加工しておくことで、給電子ユニット６ａ〜６ｄが給電子ホルダ６０ａ，６０ｂに嵌め込まれる際に給電子ユニット６ａ〜６ｄの軸方向中心に関して一定角度回転させた位置で設置できる。なお、図４では給電子ホルダ６０ａのみを示すが、給電子ホルダ６０ｂも同様である。
【００２５】
この方式により、給電子ユニット６ａ〜６ｄの給電面が給電対象の切断ワイヤ部ＣＬとの摺動摩擦によって磨耗し給電状態が変化しても、給電子ホルダ６０ａ，６０ｂの嵌め込み部分に対する給電子ユニット６ａ〜６ｄの両軸端の位置を変更して嵌め込むことで、給電子ユニット６ａ〜６ｄのワイヤ接触箇所を変更できるようになり、給電子ユニット６ａ〜６ｄの設置位置を微調整する必要がなく、容易に給電子の給電面を新しい面に交換できるようになる。給電子固定具６１は、給電子ホルダ６０ａ，６０ｂに収納された給電子ユニット６ａ，６ｂの両軸端を挟みこんで固定する。給電子固定具６１と給電子ホルダ６０ａ，６０ｂはたとえばボルトで締結される（図示せず）。また、図示していないが、給電子ユニット６ａ，６ｂの軸端部分には、加工電源１０からの給電線が接続され、加工電源１０からの加工電流が切断ワイヤ部ＣＬの各ワイヤに給電される。図４は、給電子ユニット６ａ，６ｂを収納する給電子ホルダ６０ａについて詳細に示しているが、給電子ユニット６ｃ，６ｄを収納する給電子ホルダ６０ｂについても同様の構造である。
【００２６】
本実施の形態１においては、ワイヤ３のうち給電子ユニット６ａで給電されたワイヤの巻取り側方向に隣接するワイヤは給電子ユニット６ｃに接触して給電され、さらにそのワイヤの巻取り側方向に隣接するワイヤは給電子ユニット６ｂに接触して給電される。そして、さらにそのワイヤの巻取り側方向に隣接するワイヤは給電子ユニット６ｄに接触して給電される。
【００２７】
すなわち、給電子ユニット６ａ〜６ｄはそれぞれ４本おきに並列ワイヤ部ＰＳ（もしくは切断ワイヤ部ＣＬ）への給電をおこなっており、４本配置される給電子ユニット６ａ〜６ｄ間は電気的に絶縁されている。給電子ユニット６ａを通過した切断ワイヤ部ＣＬは駆動式のメインガイドローラ１ｃに巻き掛けられ、その後、メインガイドローラ１ｂ，１ａ，１ｄに巻き掛けられ、ふたたび駆動式のメインガイドローラ１ｃに巻き掛けられる。前述のように、同列に配置される給電子についてはそれらを一体成形したことにより、同一の給電子ユニットから給電される並列ワイヤ部ＰＳについては独立した給電を行うことはできない。
【００２８】
しかしながら、給電子を完全に電気的に絶縁した状態で並列ワイヤＰＳに独立給電する場合でも、１本のワイヤで並列ワイヤ部ＰＳを構成している構造上、わずかながら隣接ワイヤ３への給電された電流の回り込み（漏れ）は発生している。そうした給電電流の回り込み量が大きいのは隣接するワイヤに対してであり、隣接ワイヤに隣接するワイヤ、すなわち、２本隣りのワイヤへの回り込み電流は急激に減少する。したがって、並列ワイヤ部ＰＳを構成するワイヤについては、ワイヤ４本分の間隔をあけて給電すれば回り込み電流（漏れ電流）による加工への影響はない。
【００２９】
なお、給電子間を電気的に導通させた構造では、直近の隣接ワイヤからの電流の回り込みの影響がもっとも大きいため、給電子ユニットは隣接給電子間を絶縁する構造、すなわち、給電子ユニット本数は並列ワイヤ部ＰＳのワイヤを交互に給電可能な２本でも加工速度の著しい低下はない。
【００３０】
また、本実施の形態１においては、図２（ｂ）および図３（ａ）に示すように、ワイヤ放電加工によってインゴットから切り出されるウエハの厚さは、複数本のワイヤ間のピッチが影響する。切り出されるウエハの厚さは０．５ｍｍ程度と非常に薄い。したがって、ワイヤのピッチも非常に狭く、たとえば、現状、使用している直径０．１ｍｍのワイヤでは、ピッチを０．６ｍｍに設定している。これら並列ワイヤに対して給電部６Ｓを当接させるが、その際、給電子がワイヤに確実に接触しワイヤが給電子から外れないようにするために、給電子外周面にはＶ溝加工が施されている。それには、給電部６Ｓには相応の厚さが必要となり、そのような給電部６Ｓを隣接して並列させるには、ワイヤピッチは給電子同士が接触するほど狭いため、図３（ａ）のように１つの給電子列に形成される給電部６Ｓは等間隔ながら、それら給電子列を規則的にずらして設置することによって隣接ワイヤの給電子同士の位置における制約がなくなり、給電部６Ｓをワイヤピッチの２倍近い厚さに設計することができる。
【００３１】
実施の形態２．
図６は、実施の形態２のワイヤ放電加工装置を示す図であり、図７は、その給電子ユニットの要部拡大斜視図である。本実施の形態は、実施の形態１の給電子ユニットの変形例であり、給電子ユニット６ａ〜６ｄは、超硬合金の丸棒の側面をたとえば砥石研削によって等間隔をおいて一定幅で切り欠いたものである。切り欠きによって平面状に面取りされた切り欠き部６Ｒは、一部の切断ワイヤ部ＣＬが並列して通過する際に、丸棒に接触しないように通過させるためのワイヤを逃がす空間である。また、２つの切り欠き部分で挟まれた丸棒の未加工部分は、切断ワイヤ部ＣＬ中の給電対象のワイヤが接触する部分であり、ここにはワイヤが架けられて給電するためのＶ字状溝ＧＷ加工が施されて給電部６Ｔとなる。このように、丸棒の一部分を研削もしくは切削によって切り欠くことでも、図２、図３に示す給電子ユニット６ａ〜６ｄと同等の複数本の並列するワイヤに対する給電機能を有する。切断加工時ウエハ支持部１５ａ，１５ｂは、被加工物である結晶インゴット５Ｉに対して接近・離反する挙動を制御するものである。給電子ユニット６ａ〜６ｄ以外は実質的には実施の形態１のワイヤ放電加工装置と同様であり、ここでは説明を省略するが、同一部位には同一符号を付した。
【００３２】
図７に示す給電子ユニット６ａ〜６ｄでは、給電部分が切断ワイヤ部ＣＬとの摺動によって磨耗してくると給電子ユニットごと交換するしかないが、図７に示す給電子ユニット６ａ〜６ｄの切り欠き部から９０度ごとに切り欠き部６Ｒを加工しておけば、１本の給電子ユニットで４回交換分に相当する給電部６Ｔを備えることができる。なお、この給電子ユニットについても、その両軸端を切り欠き部６Ｒと同数の正Ｍ角形（Ｍは周面上の切り欠き部６Ｒ数）に加工されており、給電子ユニットを保持する給電子ホルダの給電子ユニット軸端嵌め込み部についても対応する同じ形状の正Ｍ角形穴を備える。
【００３３】
放電加工を行う際は、メインガイドローラ１ｃ，１ｄを回転させてワイヤ３を走行させながら、当該切断ワイヤ部ＣＬに対して所定の極間距離を隔てて被加工物である引き上げ法などにより形成された結晶インゴット５Ｉを対向させて配置した後、切断ワイヤ部ＣＬに電圧パルスを印加し、切断スピードに合わせてステージ９を上昇させる。極間距離を一定に保った状態で、並列ワイヤ部ＰＳと結晶インゴット５Ｉとを相対移動させることにより、図８（ａ）に加工中の状態を示すように、アーク放電を継続させ、結晶インゴット５Ｉの切断ワイヤ部ＣＬが通過した経路に対応して加工溝Ｇが形成される。したがって、図８（ｂ）に示すように、切り出されるウエハ５Ｗの厚さｔ0は、巻掛ピッチｔpから結晶インゴット５Ｉの切り代となった加工溝の幅（加工幅）ｔ1を引いた長さである。加工幅を小さくするためワイヤ線径は小さい方が望ましく、実用的には０．１ｍｍ程度のスチールワイヤを使用することが多いが、０．０５ｍｍなど更に細線化したものを用いることもある。さらに、放電開始電圧を適切にするため、スチールワイヤの表面に黄銅などのコーティングを施しても良い。
【００３４】
本実施の形態のワイヤ放電加工装置によれば、給電子ユニット６ａ〜６ｄを用いて、結晶インゴット５Ｉから高精度なウエハ５Ｗを容易に製作することができる。
【００３５】
ワイヤ放電加工は、加工速度が被加工物の硬度に依存しないことから、硬度の高い素材に対して特に有効である。被加工物５として、例えば、スパッタリングターゲットとなるタングステンやモリブデンなどの金属、各種構造部材として使われる多結晶シリコンカーバイド（炭化珪素）などのセラミックス、半導体デバイス作製用のウエハ基板となる単結晶シリコンや単結晶シリコンカーバイド、ガリウムナイトライドなどの半導体素材、太陽電池用ウエハとなる単結晶または多結晶シリコンなどを対象とすることができる。特に、炭化珪素や窒化ガリウムに関しては、硬度が高いため、機械式ワイヤソーによる方式では生産性が低く、さらに加工精度が低いという問題があり、本実施の形態によれば、高い生産性と高い加工精度を両立しながら炭化珪素や窒化ガリウムのウエハ作製を行うことができる。
【００３６】
以上のように、本実施の形態のワイヤ放電加工装置は、間隔をおいて平行に配設された一対のガイドローラ間に一定のピッチで離間しながら複数回巻き掛けられ、ガイドローラの回転に伴って走行すると共に、一対のガイドローラ間で互いに離間した並列ワイヤ部ＰＳを形成する一本のワイヤ３と、ガイドローラ間に設けられ、複数の並列ワイヤ部ＰＳにそれぞれ接触して給電する給電子を有しており、並列ワイヤのそれぞれに接触して給電するための給電子が整列単位ごとに一体化されたものである。また、給これら複数の給電子（給電子ユニット６ａ〜６ｄ）は、給電対象とする各切断ワイヤ部ＣＬのワイヤ並列間隔に対応して整列し、加工電源は、切断ワイヤ部ＣＬに対して３本おきに給電するように配置される各給電子ユニット６ａ〜６ｄに対して給電する。
【００３７】
なお、本実施の形態１及び２では、駆動式のメインガイドローラが２本用いられているが、このうち１本を従動式に変更することも可能である。しかし、ワイヤの断面積に応じてワイヤの最大張力が決まるため、加工幅低減のために細線ワイヤを用いる場合には、複数の駆動式ガイドローラを用いてワイヤにかかる張力（内部応力）を低減することが好ましい。ワイヤの張力が過大となることを防ぐことによって、巻き掛け回数を増やし、ワイヤを細線化して生産性の向上を図ることが出来る。
【００３８】
また、本実施の形態１及び２では、１本のワイヤ３を４本のメインガイドローラに巻き掛けた例について示しているが、例えばメインガイドローラを３本配置した構成とすることも可能である。その他、上記の実施の形態に限らず、１本のワイヤ３を繰り返し折り返すことにより並列ワイヤ部ＰＳが形成されるのであれば、その具体的な構成については特に限定されるものではない。
【００３９】
以上のように、本実施の形態１，２の構成によれば、メインガイドローラ間に一定のピッチで離間しながら複数回巻き掛けられ、メインガイドローラの回転に伴って走行する１本のワイヤと、メインガイドローラ１ｃ，１ｄ間に配列した並列ワイヤ部ＰＳと、この並列ワイヤ部ＰＳのそれぞれのワイヤ３に給電するそれぞれ一体成形された給電子ユニット６ａ，６ｂ，６ｃ，６ｄとを備えて、制振ガイドローラ７ａ，７ｂ間に展張されたワイヤ３が被加工物５と対向する切断ワイヤ部ＣＬになるようにしたので、並列ワイヤ部ＰＳに対して確実に加工電源１０から給電がなされることによって高精度のワイヤ放電加工を行うことができる。
【００４０】
また、給電子ユニット６ａ，６ｂ，６ｃ，６ｄは、一体成形されるために、ワイヤに接触する給電部分の整列精度が極めて良好であり、さらに給電子ホルダ６０ａ，６０ｂに嵌め込むことで給電子位置の微調整の必要がなく整列できるので、複数本のワイヤをそれぞれの給電子に容易に確実に接触させることができるので、加工中にワイヤが給電子から外れることがなくなり加工準備時間を短縮できるという効果を奏する。また、並列ワイヤ部ＰＳに対する給電子ユニット６ａ，６ｂ，６ｃ，６ｄの押し込み量の微調整も不要となり、ワイヤの接触長さを均一化できるようにしたので、放電加工電流のばらつきがなくなり放電加工が安定化するという効果を奏する。上記の構成により、切断ワイヤ部ＣＬの給電を安定化し、長時間の加工においても安定した放電加工を行い、厚さばらつきが小さいウエハを一度に複数枚製作することが可能になるという効果を奏する。
【００４１】
また、上記の効果を奏するワイヤ放電加工装置を用いることにより、炭化珪素などの硬質材料を含む被加工物である結晶インゴット５Ｉを、高い生産性をもって薄板状に切断加工し、半導体ウエハを形成することが出来る。
【００４２】
さらにまた、本実施の形態では、円柱状のインゴットのオリフラ部分を上にした状態から切り始める仕様となっている。なお、オリフラ位置による加工への影響がないことは実験にて確認しており、インゴットの設置方向は、図６に示すようにオリフラ部分を上にした状態でもよく、インゴットの設置方向に限定されるものではない。
【００４３】
実施の形態３．
以下に、本発明の実施の形態３の構成及び動作について説明する。図９は、本発明の実施の形態３に係るワイヤ放電加工装置の給電子ユニット６ａ，６ｂ及びそれらを嵌め込む給電子ホルダ６０ａ及びその関連部品の構成を示す斜視図である。本実施の形態に係る給電子ユニット及び給電子ホルダにおいては、前述の実施の形態１と同様の構成及び動作を多く有しているため、それらについては説明を省略し、実施の形態１と異なる部分の構成と動作について説明する。まず、本実施の形態３の給電子周辺の構成について述べる。給電子ユニット６ａ〜６ｄの両軸端の形状を円柱状とし、給電子ホルダ６０ａ，６０ｂの給電子ユニット６ａ〜６ｄの両軸端が嵌め込まれる部分は、給電子ユニット６ａ〜６ｄの軸端と同直径よりわずかに大きい半円形状に加工された軸受け部が加工されており、ここに給電子ユニット６ａ〜６ｄを設置し、給電子固定具６１にも同形状の半円形状の加工がなされているので、給電子ユニット６ａ〜６ｄの両軸端は半円形部分で挟み込まれるようにして支持される。さらに、給電子ユニット６ａ〜６ｄの軸端にはスリップリング７３が取り付けられ、スリップリング７３内面にあるブラシが給電子ユニット６ａ〜６ｄの軸外周面に接触している。また、スリップリング７３には加工電源（図示せず）からの給電線が接続される。図９は、給電子ユニット６ａ，６ｂを収納する給電子ホルダ６０ａについて詳細に示しているが、給電子ユニット６ｃ，６ｄを収納する給電子ホルダ６０ｂについても同様の構造である。
【００４４】
次に動作について説明する。給電子ホルダ６０ａ，６０ｂに組み込まれた給電子ユニット６ａ〜６ｄは、給電子ユニット６ａ〜６ｄの両軸端が円柱形状であり、両軸の支持部に相当する部分も円柱形状であるために軸方向を回転中心として回転できるようになっている。それゆえ、並列ワイヤ部ＰＳが給電子ユニット６ａ〜６ｄのそれぞれの給電部の溝に架けられた状態でワイヤ３を走行させると、並列ワイヤ部ＰＳが給電子ユニット６ａ〜６ｄに接触しながらその摩擦力によってワイヤ走行と共に給電子ユニット６ａ〜６ｄが回転する。さらに、スリップリング７３は円柱形状の回転軸に対して給電する機能を有するため、加工電源１０からの電流がスリップリング７３のブラシを介して給電子ユニット６ａ〜６ｄの軸端からそれら給電子ユニットの各給電子に給電され、並列ワイヤ部ＰＳ（切断ワイヤ部ＣＬ）に加工電流が供給される。
【００４５】
給電子ユニット６ａ〜６ｄの両軸端を支持する部分に転がり軸受け７２を設け、転がり軸受け７２にて給電子ユニット６ａ〜６ｄを支持することにより、給電子ユニット６ａ〜６ｄの回転をさらになめらかにできる。したがって、並列ワイヤ部ＰＳの接触による摩擦力で容易に回転するので、並列ワイヤ部ＰＳの走行速度と給電子ユニット６ａ〜６ｄの回転速度に差を生じることなく、安定した転がり摩擦状態を長時間維持することができる。この場合、転がり軸受け７２は、軸受け内のベアリング間での放電発生を防止するために、セラミック球などの非導電性材であることが望ましい。
【００４６】
前述の構造によって、並列ワイヤ部ＰＳに対する給電子ユニット６ａ〜６ｄの給電部分は、実施の形態１のようにワイヤによる摺動状態ではなくなり、給電対象のワイヤの走行とともに回転することによって転がり摩擦の状態となる。それゆえ、繰り返し放電加工に使用されることによる硬質物質の付着や面粗さの悪化した切断ワイヤ部ＣＬが、給電子部分を摺動しながら走行することによる給電子ユニット６ａ〜６ｄの給電面が磨耗することがなくなり、給電子ユニット６ａ〜６ｄの寿命が延長し、放電加工を安定して行うことができる。
【００４７】
前述のような装置構成とすることで、切断ワイヤ部ＣＬへの加工電源１０からの給電が長時間にわたって安定し、安定した放電加工を維持でき、被加工物５から板厚のそろった複数枚のウエハを一度に切り出すことができる。
【００４８】
なお、給電子ユニット６ａ〜６ｄへの給電には、給電子ホルダ６０ａ，６０ｂの軸受け部から突き出された給電子ユニット６ａ〜６ｄの両軸端に対して、たとえば、スリップリングやブラシなどを接触させればよい。このとき、軸受け内部で放電が発生して軸受けが損傷することを防止するために、使用する軸受けのベアリングはセラミック球などの非導電性材で構成される転がり軸受けであることが部品寿命の延長の点からは望ましい。
【００４９】
以上のように、給電子ユニット６ａ〜６ｄがその軸中心について滑らかに回転できるように軸受けを設置することによって、走行する切断ワイヤ部ＣＬの摺動による摩擦を転がり摩擦とすることで、給電子ユニット６ａ〜６ｄの給電面の磨耗を大幅に軽減することで放電加工が長時間安定化し、加工精度が向上する効果を奏する。
【００５０】
また、給電子ユニット６ａ〜６ｄをワイヤ走行に伴って転がるようにしたので、給電子ユニット６ａ〜６ｄのワイヤ接触面、すなわち、給電面が摩擦によって磨耗することがなくなり、超硬合金のような高硬度な材料でなくとも、たとえば、鋼や銅、黄銅、アルミニウムなどの切削加工が容易な金属材料でも給電子ユニットとして使用することができ、安定な放電を長期間持続することが可能になる。
【００５１】
なお、上記の３つの実施の形態では、給電子ユニットは被加工物５を挟んで両側に２個ずつ取り付けられていたが、給電子ユニットが両側に１個の場合においても本発明は適用可能である。
【００５２】
インゴットの両側に１本ずつ配置された各給電子列から全ワイヤに対して給電子できる構造にした場合、加工溝幅のばらつきを少なくし、ひいては、ウエハ板厚のばらつきを低減するという効果がある。すなわち、インゴットの片側に配置された給電子からのみ給電される場合、給電子からインゴットの放電位置までの距離の差によって途中の抵抗値が変動するために、放電電流も変化する。それゆえ、給電子からの加工点までの距離に応じて放電加工による加工量が異なり、インゴット加工時の加工溝幅は、給電子に近い部分ほど太く、給電子から離れた部分ほど細くなる傾向となる。この傾向は、特に、口径の大きいインゴットで顕著となる。これに対し、一括給電では、１本ずつインゴット両側に配置された給電子列から各ワイヤに給電することによって、給電子から放電位置までの距離の差が減少し、放電電流のロスが改善され、加工量の差が改善され、加工溝幅のばらつき、すなわち、ウエハ板厚のばらつきが向上する。
【００５３】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５４】
１ａ，１ｂ，１ｃ，１ｄ  メインガイドローラ、２  ワイヤボビン、３  ワイヤ、ＣＬ  切断ワイヤ部、ＰＳ  並列ワイヤ部、４  ワイヤ巻取りボビン、５  被加工物、５Ｉ  結晶インゴット、５Ｗ  ウエハ、６ａ，６ｂ，６ｃ，６ｄ  給電子ユニット、６Ｍ  軸部、６Ｓ  給電部、７ａ，７ｂ  制振ガイドローラ、８ａ，８ｂ  ノズル、９  ステージ、１０  加工電源、６０ａ，６０ｂ  給電子ホルダ、６１  給電子固定具、６Ｒ  切り欠き部、６Ｔ  給電部、７２  転がり軸受け、７３  スリップリング（給電ブラシ）。
【図１】
2014188754.tif 000003
【図２】
2014188754.tif 000004
【図３】
2014188754.tif 000005
【図４】
2014188754.tif 000006
【図５】
2014188754.tif 000007
【図６】
2014188754.tif 000008
【図７】
2014188754.tif 000009
【図８】
2014188754.tif 000010
【図９】
2014188754.tif 000011
【手続補正書】
【提出日】平成27年6月10日(2015.6.10)
【手続補正１】
【補正対象書類名】明細書
【補正対象項目名】０００６
【補正方法】変更
【補正の内容】
【０００６】
上述した課題を解決し、目的を達成するために、間隔をおいて平行に配設された一対のガイドローラと、一対のガイドローラ間に一定のピッチで離間しながら複数回巻き掛けられ、ガイドローラの回転に伴って走行すると共に一対のガイドローラ間で互いに離間した複数の並列ワイヤ部を形成する一本のワイヤと、一対のガイドローラ間に設けられ、並列ワイヤ部にそれぞれ従動接触して制振した切断ワイヤ部を形成する一対の制振ガイドローラと、給電対象とする各切断ワイヤ部のワイヤ並列間隔に対応して整列し、複数の並列ワイヤ部にそれぞれ接触して給電する複数の給電子を備え、隣接する各給電子が少なくとも１本おきに並列ワイヤ部に給電するように配列された給電ユニットと、電子とワイヤとの間に電圧を印加した放電を生起する加工電源とを備える。同一の給電子ユニットにおいて整列する給電子は、互いに電気的に接続されており、給電子ユニットは、両端に軸端支持部を有する給電子ホルダを備え、給電子の位置制御が可能であることを特徴とする。
【手続補正２】
【補正対象書類名】特許請求の範囲
【補正対象項目名】全文
【補正方法】変更
【補正の内容】
【特許請求の範囲】
【請求項１】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
給電対象とする各切断ワイヤ部のワイヤ並列間隔に対応して整列し、前記複数の並列ワイヤ部にそれぞれ接触して給電する複数の給電子を備え、隣接する各給電子が少なくとも１本おきに前記並列ワイヤ部に給電するように配列された給電子ユニットと、
給電子とワイヤとの間に電圧を印加して放電を生起する加工電源と、
を備え、
同一の前記給電子ユニットにおいて整列する給電子は、互いに電気的に接続されており、
前記給電子ユニットは、両端に軸端支持部を有する給電子ホルダを備え、前記給電子の位置制御が可能であることを特徴とするワイヤ放電加工装置。
【請求項２】
前記給電子ユニットは、直径が小さい円柱部分である軸部と、この軸部に所定の間隔で形成され、前記軸部よりも直径が大きい円柱部分からなり外周面にワイヤ案内用の溝を有する給電部とを有し、
前記軸部の端部の支持位置を回転させることによって、給電子の前記ワイヤとの接触面を変更可能に構成された請求項１に記載のワイヤ放電加工装置。
【請求項３】
前記給電子ユニットの前記軸部の端が正多角柱に加工され、
前記給電子ユニットを支持する給電子ホルダの前記軸端支持部も前記正多角柱にくり貫き加工されている請求項２に記載のワイヤ放電加工装置。
【請求項４】
前記給電子ユニットは前記軸端支持部に転がり軸受けを備え、回転可能である請求項２または３に記載のワイヤ放電加工装置。
【請求項５】
前記給電子ユニットの軸端にスリップリングあるいは給電ブラシを備え、
前記加工電源から前記給電ブラシに給電される請求項４に記載のワイヤ放電加工装置。
【請求項６】
前記給電子ユニットは、前記並列ワイヤ部の配列幅方向全体にわたるように配置され、各給電子ユニットの幅方向で全ての前記給電子が重なり部を持たないように、等間隔で分散された請求項１に記載のワイヤ放電加工装置。
【請求項７】
前記給電子ユニットは、４本で構成され、各給電子ユニットを構成する給電子は３本おきに、前記並列ワイヤ部に給電するように構成された請求項６に記載のワイヤ放電加工装置。
【請求項８】
前記給電子ユニットは、整列単位毎に一体成型された請求項１から７のいずれか１項に記載のワイヤ放電加工装置。
【請求項９】
請求項１から８のいずれか１項に記載のワイヤ放電加工装置を用いて、
前記給電子ユニットに対して前記加工電源から一括給電し、被加工物から複数枚の薄板を作製する薄板の製造方法。
【請求項１０】
請求項１から８のいずれか１項に記載のワイヤ放電加工装置を用いて、
前記給電子に対して前記加工電源から一括給電し、半導体素材から複数枚の半導体ウエハを作製する半導体ウエハの製造方法。
【手続補正書】
【提出日】平成27年10月6日(2015.10.6)
【手続補正１】
【補正対象書類名】明細書
【補正対象項目名】０００６
【補正方法】変更
【補正の内容】
【０００６】
上述した課題を解決し、目的を達成するために、間隔をおいて平行に配設された一対のガイドローラと、一対のガイドローラ間に一定のピッチで離間しながら複数回巻き掛けられ、ガイドローラの回転に伴って走行すると共に一対のガイドローラ間で互いに離間した複数の並列ワイヤ部を形成する一本のワイヤと、一対のガイドローラ間に設けられ、並列ワイヤ部にそれぞれ従動接触して制振した切断ワイヤ部を形成する一対の制振ガイドローラと、給電対象とする各切断ワイヤ部のワイヤ並列間隔に対応して整列し、複数の並列ワイヤ部にそれぞれ接触して給電する複数の給電子を備え、隣接する各給電子が少なくとも１本おきに並列ワイヤ部に給電するように配列された給電子ユニットと、電子とワイヤとの間に電圧を印加した放電を生起する加工電源とを備える。同一の給電子ユニットにおいて整列する給電子は、互いに電気的に接続されており、給電子ユニットは、両端に軸端支持部を有する給電子ホルダを備え、給電子の位置制御が可能であることを特徴とする。
【手続補正２】
【補正対象書類名】明細書
【補正対象項目名】０００７
【補正方法】変更
【補正の内容】
【０００７】
本発明によれば、給電対象とする各切断ワイヤ部のワイヤ並列間隔に対応して整列し、複数の並列ワイヤ部にそれぞれ接触して給電する複数の給電子を備え、隣接する各給電子が少なくとも１本おきに前記並列ワイヤ部に給電するように配列された給電子ユニットを具備している。このため、給電電流の回り込み量が大きいのは隣接するワイヤに対してであり、隣接ワイヤに隣接するワイヤ、すなわち、２本隣りのワイヤへの回り込み電流は急激に減少する。したがって、ワイヤ１本分以上の間隔をあけて給電することになり、回り込み電流（漏れ電流）による加工への影響を低減することができる。また、給電子間の整列精度が向上し、複数本の並列ワイヤに対する位置ずれを起こしにくくし、被加工物から同時に薄板を加工したときの加工精度を向上できる。また、給電子の組立て及び調整を容易にし、加工段取りを簡略化し、加工準備時間を短縮することができるという効果を奏する。
【手続補正３】
【補正対象書類名】明細書
【補正対象項目名】００１０
【補正方法】変更
【補正の内容】
【００１０】
実施の形態１．
図１は、本発明の実施の形態１に係るワイヤ放電加工装置の主要部の構成を示す側面図である。本実施の形態１のワイヤ放電加工装置は、４本のメインガイドローラ１ａ〜１ｄと、これらメインガイドローラ１ａ〜１ｄ間に一定のピッチで離間しながら複数回巻回されて一対のメインガイドローラ１ｃ，１ｄ間に並列ワイヤ部ＰＳを形成し、これらメインガイドローラ１ａ〜１ｄの回転に伴って走行する一本のワイヤ３と、並列ワイヤ部ＰＳに従動接触して、制振する複数の切断ワイヤ部ＣＬを形成する一対の制振ガイドローラ７ａ，７ｂと、複数の切断ワイヤ部ＣＬにそれぞれ給電する給電子（給電子ユニット６ａ〜６ｄ）と、ワイヤボビン２及びワイヤ巻取りボビン４と、切断ワイヤ部ＣＬに対して被加工物５を、切断ワイヤ部ＣＬを構成するワイヤ３の並列方向、及び、各切断ワイヤ部ＣＬを構成するワイヤ３の並列方向と直角方向に相対的に移動する手段とを備えている。一体成形された複数の給電子が、互いに電気的に接続された２対の給電子ユニット６ａ−６ｂ，６ｃ−６ｄを構成しており、各給電子ユニット対は、両端に軸端支持部を有する給電子ホルダ６０ａ，６０ｂ（図１では図示せず）を備え、位置制御が可能である（図３（ａ）および（ｂ））。また、加工電源１０が複数の給電子（給電子ユニット６ａ〜６ｄ）とワイヤ３との間に電圧を印加して放電を生起する。これら複数の給電子（給電子ユニット６ａ〜６ｄ）は、給電対象とする各切断ワイヤ部ＣＬのワイヤ並列間隔に対応して整列している。そして加工電源は、前記切断ワイヤ部ＣＬに対して３本おきに給電するように配置される各給電子ユニット６ａ〜６ｄに対して給電する。また、同一の給電子ユニット６ａ〜６ｄにおいて整列する給電子は互いに電気的に接続されている。
【手続補正４】
【補正対象書類名】明細書
【補正対象項目名】００１１
【補正方法】変更
【補正の内容】
【００１１】
メインガイドローラ１ａ〜１ｄはワイヤ走行系を構成する主要なガイドローラで、このワイヤ放電加工装置では、同じ直径の４本のメインガイドローラが互いに平行に間隔をおいて配置されている。ワイヤボビン２から繰り出された一本のワイヤ３は、順次、４本のメインガイドローラ１ａ〜１ｄ間にまたがって、一定のピッチで離間しながら繰り返し巻き掛けられている。ワイヤ３はメインガイドローラ１ａ〜１ｄの回転に伴って走行し、最後にワイヤ巻取りボビン４に至る。メインガイドローラ１ｃ，１ｄは被加工物５を挟む位置に設置され、ワイヤ３が両メインガイドローラ間に一定の張力で展張されることにより、互いにメインガイドローラの軸方向に離間した複数の並列ワイヤ部ＰＳを構成する。なお、本明細書においては、並列ワイヤ部ＰＳはメインガイドローラ１ｄから送り出されてメインガイドローラ１ｃに巻き掛かるまでの部分を指すことにする。上記並列ワイヤ部ＰＳ内で、被加工物５に対向する部分を含む直線的に展張された領域が切断ワイヤ部ＣＬとなる。図１は、被加工物５の切断が開始されて被加工物５の内部に切断ワイヤ部ＣＬが進行した状態を示している。
【手続補正５】
【補正対象書類名】明細書
【補正対象項目名】００１２
【補正方法】変更
【補正の内容】
【００１２】
並列ワイヤ部ＰＳに接触して配置される給電子ユニット６ａ〜６ｄは、切断ワイヤ部ＣＬに対して電圧パルスを供給する電極であり、図１では被加工物５の両側に各２列配置されている。また、並列ワイヤ部ＰＳ上の、給電子ユニット６ａ〜６ｄから切断ワイヤ部ＣＬ寄りの位置に制振ガイドローラ７ａ，７ｂが配置され、制振ガイドローラ７ａ，７ｂの表面に形成されているワイヤ案内用溝にワイヤ３が常に掛けられた状態が維持されてワイヤ３をガイドする。すなわち、制振ガイドローラ７ａ，７ｂは、一対のメインガイドローラ間に設けられ、並列ワイヤ部ＰＳにそれぞれ従動接触する、メインガイドローラに比較して小径のガイドローラである。そして、これら制振ガイドローラ７ａ，７ｂは、切断ワイヤ部ＣＬに掛かるワイヤ３が直線状に展張されるようにワイヤ３を支持し、制振ガイドローラ７ａ，７ｂ間の切断ワイヤ部ＣＬはワイヤ振動が抑制されて走行位置がほぼ静止状態となっている。さらに、切断ワイヤ部ＣＬを挟む位置にノズル８（８ａ，８ｂ）が配置されており、向かい合わせに配置されたノズル８ａ，８ｂから、切断ワイヤ部ＣＬに沿って被加工物５の切断部に向かって加工液を噴出する。切断ワイヤ部ＣＬはノズル内面と接触しないように、ノズル８ａ，８ｂ内を貫通している。ステージ９は被加工物５を載せて上昇、下降を行う台である。
【手続補正６】
【補正対象書類名】明細書
【補正対象項目名】００２３
【補正方法】変更
【補正の内容】
【００２３】
これに対し本実施の形態のワイヤ放電加工装置は、上記のような複数本の並列されたワイヤ３に対する安定した給電に関する高度の要求と、複数個の給電子の組立て及び調整に関する要求に応えることを意図しており、前述のように、第１の技術要素として一体成形された高精度の給電子ユニット、第２の技術要素として給電子ユニット６ａ〜６ｄを整列させて保持する給電子ホルダを有している点に特徴がある。高精度の給電子ユニット６ａ〜６ｄは、それぞれが対応する給電子ホルダ６０ａ，６０ｂに嵌め込まれ保持されることにより、切断ワイヤ部ＣＬを構成する複数本の並列ワイヤに対応して給電子ユニット６ａ〜６ｄの給電子部分を整列させることができ、給電子部分を切断ワイヤ部ＣＬの各ワイヤへ押し付ける量も一定にでき、さらに、給電子部分を各並列ワイヤに確実に接触して給電できる方式である。また、給電子ホルダ６０ａ，６０ｂによって整列せしめられたこれら複数の給電子（給電子ユニット６ａ〜６ｄ）は、給電対象とする各切断ワイヤ部ＣＬのワイヤ並列間隔に対応して整列し、加工電源は、切断ワイヤ部ＣＬに対して少なくとも１本おき（本実施の形態では３本）に給電するように配置される各給電子ユニット６ａ〜６ｄに対して給電する。従って、隣接ワイヤへの給電電流の回り込みが大きい場合にも２本隣のワイヤへの回り込み電流は大幅に低減されるため、回り込み電流による加工への影響を低減することができる。また異常放電が生じた場合にも、離間した位置で生じるため、摩耗によるワイヤの損傷を分散することができる。また、同一の給電子ユニット６ａ〜６ｄにおいて整列する給電子は互いに電気的に接続されているため、給電が容易である。本実施の形態では、各給電子ユニットをワイヤ部の幅方向全体に設け、給電子ユニットの軸方向で全ての給電子が重なり部を持たないように、軸方向全体に等間隔で分散されており、切断ワイヤ部ＣＬのワイヤ３本おきに、配置されている。この構成により、各給電子ユニットの全ての給電子が、並列ワイヤ部の各並列ワイヤそれぞれに一つずつ均一に給電される。この方式では、複数個の給電子を容易に整列させることができるため、加工段取りが容易になる。また、各給電子の整列状態が不十分なことによるワイヤへの給電子の接触状態が不均一となることがなくなるため、すべてのワイヤへ加工電源が安定して給電されるのでワイヤごとに放電加工が不安定になることもない。
【手続補正７】
【補正対象書類名】明細書
【補正対象項目名】００３２
【補正方法】変更
【補正の内容】
【００３２】
図７に示す給電子ユニット６ａ〜６ｄでは、給電部分が切断ワイヤ部ＣＬとの摺動によって磨耗してくると給電子ユニットごと交換するしかないが、図７に示す給電子ユニット６ａ〜６ｄの切り欠き部から９０度ごとに切り欠き部６Ｒを加工しておけば、１本の給電子ユニットで４回交換分に相当する給電部６Ｔを備えることができる。なお、この給電子ユニットについても、その両軸端を切り欠き部６Ｒと同数の面を有する正Ｍ角形（Ｍは周面上の切り欠き部６Ｒ数）に加工されており、給電子ユニットを保持する給電子ホルダの給電子ユニット軸端嵌め込み部についても対応する同じ形状の正Ｍ角形穴を備える。
【手続補正８】
【補正対象書類名】明細書
【補正対象項目名】００３６
【補正方法】変更
【補正の内容】
【００３６】
以上のように、本実施の形態のワイヤ放電加工装置は、間隔をおいて平行に配設された一対のガイドローラ間に一定のピッチで離間しながら複数回巻き掛けられ、ガイドローラの回転に伴って走行すると共に、一対のガイドローラ間で互いに離間した並列ワイヤ部ＰＳを形成する一本のワイヤ３と、ガイドローラ間に設けられ、複数の並列ワイヤ部ＰＳにそれぞれ接触して給電する給電子を有しており、並列ワイヤのそれぞれに接触して給電するための給電子が整列単位ごとに一体化されたものである。また、これら複数の給電子（給電子ユニット６ａ〜６ｄ）は、給電対象とする各切断ワイヤ部ＣＬのワイヤ並列間隔に対応して整列し、加工電源は、切断ワイヤ部ＣＬに対して３本おきに給電するように配置される各給電子ユニット６ａ〜６ｄに対して給電する。
【手続補正９】
【補正対象書類名】明細書
【補正対象項目名】００３９
【補正方法】変更
【補正の内容】
【００３９】
以上のように、本実施の形態１，２の構成によれば、メインガイドローラに一定のピッチで離間しながら複数回巻き掛けられ、メインガイドローラの回転に伴って走行する１本のワイヤと、メインガイドローラ１ｃ，１ｄ間に配列した並列ワイヤ部ＰＳと、この並列ワイヤ部ＰＳのそれぞれのワイヤ３に給電するそれぞれ一体成形された給電子ユニット６ａ，６ｂ，６ｃ，６ｄとを備えて、制振ガイドローラ７ａ，７ｂ間に展張されたワイヤ３が被加工物５と対向する切断ワイヤ部ＣＬになるようにしたので、並列ワイヤ部ＰＳに対して確実に加工電源１０から給電がなされることによって高精度のワイヤ放電加工を行うことができる。
【手続補正１０】
【補正対象書類名】明細書
【補正対象項目名】００４５
【補正方法】変更
【補正の内容】
【００４５】
給電子ユニット６ａ〜６ｄの両軸端を支持する部分に転がり軸受け７２を設け、転がり軸受け７２にて給電子ユニット６ａ〜６ｄを支持することにより、給電子ユニット６ａ〜６ｄの回転をさらになめらかにできる。したがって、並列ワイヤ部ＰＳの接触による摩擦力で容易に回転するので、並列ワイヤ部ＰＳの走行速度と給電子ユニット６ａ〜６ｄの回転速度に差を生じることなく、安定した転がり摩擦状態を長時間維持することができる。この場合、転がり軸受け７２は、軸受け内のベアリングを構成するボール間での放電発生を防止するために、セラミック球などの非導電性材であることが望ましい。
【手続補正１１】
【補正対象書類名】明細書
【補正対象項目名】００４８
【補正方法】変更
【補正の内容】
【００４８】
なお、給電子ユニット６ａ〜６ｄへの給電には、給電子ホルダ６０ａ，６０ｂの軸受け部から突き出された給電子ユニット６ａ〜６ｄの両軸端に対して、たとえば、スリップリングやブラシなどを接触させればよい。このとき、軸受け内部で放電が発生して軸受けが損傷することを防止するために、使用する軸受けはセラミック球などの非導電性材で構成される転がり軸受けであることが部品寿命の延長の点からは望ましい。
【手続補正１２】
【補正対象書類名】明細書
【補正対象項目名】００５２
【補正方法】変更
【補正の内容】
【００５２】
インゴットの両側に１本ずつ配置された各給電子列から全ワイヤに対して給電できる構造にした場合、加工溝幅のばらつきを少なくし、ひいては、ウエハ板厚のばらつきを低減するという効果がある。すなわち、インゴットの片側に配置された給電子からのみ給電される場合、給電子からインゴットの放電位置までの距離の差によって途中の抵抗値が変動するために、放電電流も変化する。それゆえ、給電子からの加工点までの距離に応じて放電加工による加工量が異なり、インゴット加工時の加工溝幅は、給電子に近い部分ほど太く、給電子から離れた部分ほど細くなる傾向となる。この傾向は、特に、口径の大きいインゴットで顕著となる。これに対し、一括給電では、１本ずつインゴット両側に配置された給電子列から各ワイヤに給電することによって、給電子から放電位置までの距離の差が減少し、放電電流のロスが改善され、加工量の差が改善され、加工溝幅のばらつき、すなわち、ウエハ板厚のばらつきが向上する。
【手続補正書】
【提出日】平成28年6月23日(2016.6.23)
【手続補正１】
【補正対象書類名】明細書
【補正対象項目名】０００６
【補正方法】変更
【補正の内容】
【０００６】
上述した課題を解決し、目的を達成するために、本発明のワイヤ放電加工装置は、間隔をおいて平行に配設された一対のガイドローラと、一対のガイドローラ間に一定のピッチで離間しながら複数回巻き掛けられ、ガイドローラの回転に伴って走行すると共に一対のガイドローラ間で互いに離間した複数の並列ワイヤ部を形成する一本のワイヤと、一対のガイドローラ間に設けられ、並列ワイヤ部にそれぞれ従動接触して制振した切断ワイヤ部を形成する一対の制振ガイドローラと、導電性材料で形成されて接続され、間隔をあけて配置された複数の給電子ユニットであって、給電対象とする各切断ワイヤ部のワイヤ並列間隔に対応して整列し、複数の並列ワイヤ部にそれぞれ接触して給電する複数の給電子を備えるとともに、それぞれの給電子ユニットから並列ワイヤ部へ１本おき又は複数本おきに給電するように、給電子を配置した給電子ユニットと、両端に備えた軸端支持部により、前記複数の給電子を前記複数の給電子ユニットそれぞれの軸方向中心回りに回転可能に保持する給電子ホルダと、電子とワイヤとの間に電圧を印加した放電を生起する加工電源とを備える。
【手続補正２】
【補正対象書類名】特許請求の範囲
【補正対象項目名】全文
【補正方法】変更
【補正の内容】
【特許請求の範囲】
【請求項１】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
導電性材料で形成されて接続され、間隔をあけて配置された複数の給電子ユニットであって、給電対象とする各切断ワイヤ部のワイヤ並列間隔に対応して整列し、前記複数の並列ワイヤ部にそれぞれ接触して給電する複数の給電子を備えるとともに、それぞれの給電子ユニットから並列ワイヤ部へ１本おき又は複数本おきに給電するように、前記給電子が配置された給電子ユニットと、
両端に備えた軸端支持部により、前記複数の給電子を前記複数の給電子ユニットそれぞれの軸方向中心回りに回転可能に保持する給電子ホルダと、
給電子とワイヤとの間に電圧を印加して放電を生起する加工電源と、
を備えたワイヤ放電加工装置。
【請求項２】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
給電対象とする各切断ワイヤ部のワイヤ並列間隔に対応して整列し、前記複数の並列ワイヤ部にそれぞれ接触して給電する複数の給電子を備え、隣接する各給電子が少なくとも１本おきに前記並列ワイヤ部に給電するように配列された給電子ユニットと、
給電子とワイヤとの間に電圧を印加して放電を生起する加工電源と、
を備え、
同一の前記給電子ユニットにおいて整列する給電子は、互いに電気的に接続されており、
前記給電子ユニットは、両端に軸端支持部を有する給電子ホルダを備え、前記給電子の位置制御が可能であり、
前記給電子ユニットは、直径が小さい円柱部分である軸部と、この軸部に所定の間隔で形成され、前記軸部よりも直径が大きい円柱部分からなり外周面にワイヤ案内用の溝を有する給電部とを有し、
前記軸部の端部の支持位置を回転させることによって、給電子の前記ワイヤとの接触面を変更可能に構成されたワイヤ放電加工装置。
【請求項３】
前記給電子ユニットの前記軸部の端が正多角柱に加工され、
前記給電子ユニットを支持する給電子ホルダの前記軸端支持部も前記正多角柱にくり貫き加工されている請求項２に記載のワイヤ放電加工装置。
【請求項４】
前記給電子ユニットは前記軸端支持部に転がり軸受けを備え、回転可能である請求項２または３に記載のワイヤ放電加工装置。
【請求項５】
前記給電子ユニットの軸端にスリップリングあるいは給電ブラシを備え、
前記加工電源から前記給電ブラシに給電される請求項４に記載のワイヤ放電加工装置。
【請求項６】
前記給電子ユニットは、前記並列ワイヤ部の配列幅方向全体にわたるように配置され、各給電子ユニットの幅方向で全ての前記給電子が重なり部を持たないように、等間隔で分散された請求項２に記載のワイヤ放電加工装置。
【請求項７】
４本の前記給電子ユニットを具備し、各給電子ユニットを構成する給電子は３本おきに、前記並列ワイヤ部に給電するように構成された請求項６に記載のワイヤ放電加工装置。
【請求項８】
前記複数の給電子ユニットは、それぞれが整列単位毎に一体成型された請求項１から７のいずれか１項に記載のワイヤ放電加工装置。
【請求項９】
請求項１から８のいずれか１項に記載のワイヤ放電加工装置を用いて、
前記給電子ユニットに対して前記加工電源から一括給電し、被加工物から複数枚の薄板を作製する薄板の製造方法。
【請求項１０】
請求項１から８のいずれか１項に記載のワイヤ放電加工装置を用いて、
前記給電子に対して前記加工電源から一括給電し、半導体素材から複数枚の半導体ウエハを作製する半導体ウエハの製造方法。
【手続補正書】
【提出日】平成28年11月2日(2016.11.2)
【手続補正１】
【補正対象書類名】明細書
【補正対象項目名】０００６
【補正方法】変更
【補正の内容】
【０００６】
上述した課題を解決し、目的を達成するために、本発明のワイヤ放電加工装置は、間隔をおいて平行に配設された一対のガイドローラと、一対のガイドローラ間に一定のピッチで離間しながら複数回巻き掛けられ、ガイドローラの回転に伴って走行すると共に一対のガイドローラ間で互いに離間した複数の並列ワイヤ部を形成する一本のワイヤと、一対のガイドローラ間に設けられ、並列ワイヤ部にそれぞれ従動接触して制振した切断ワイヤ部を形成する一対の制振ガイドローラと、給電対象とする各切断ワイヤ部のワイヤ並列間隔に対応して整列し、複数の並列ワイヤ部にそれぞれ接触して給電する、導電性材料で形成され互いに接続された複数の給電子を備えるとともに、間隔をあけて配置され、それぞれの給電子ユニットから並列ワイヤ部へ１本おき又は複数本おきに給電するように、給電子が配置された給電子ユニットと、両端に備えた軸端支持部により、複数の給電子を複数の給電子ユニットそれぞれの軸方向中心回りに回転可能に保持する給電子ホルダと、給電子とワイヤとの間に電圧を印加して放電を生起する加工電源とを備える。
【手続補正２】
【補正対象書類名】特許請求の範囲
【補正対象項目名】全文
【補正方法】変更
【補正の内容】
【特許請求の範囲】
【請求項１】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
給電対象とする各切断ワイヤ部のワイヤ並列間隔に対応して整列し、前記複数の並列ワイヤ部にそれぞれ接触して給電する、導電性材料で形成され互いに接続された複数の給電子を備えるとともに、間隔をあけて配置され、それぞれの給電子ユニットから並列ワイヤ部へ１本おき又は複数本おきに給電するように、前記給電子が配置された給電子ユニットと、
両端に備えた軸端支持部により、前記複数の給電子を前記複数の給電子ユニットそれぞれの軸方向中心回りに回転可能に保持する給電子ホルダと、
給電子とワイヤとの間に電圧を印加して放電を生起する加工電源と、
を備えたワイヤ放電加工装置。
【請求項２】
間隔をおいて平行に配設された一対のガイドローラと、
前記一対のガイドローラ間に一定のピッチで離間しながら複数回巻き掛けられ、前記ガイドローラの回転に伴って走行すると共に前記一対のガイドローラ間で互いに離間した複数の並列ワイヤ部を形成する一本のワイヤと、
前記一対のガイドローラ間に設けられ、前記並列ワイヤ部にそれぞれ従動接触して制振した切断ワイヤ部を形成する一対の制振ガイドローラと、
給電対象とする各切断ワイヤ部のワイヤ並列間隔に対応して整列し、前記複数の並列ワイヤ部にそれぞれ接触して給電する複数の給電子を備え、隣接する各給電子が少なくとも１本おきに前記並列ワイヤ部に給電するように配列された給電子ユニットと、
給電子とワイヤとの間に電圧を印加して放電を生起する加工電源と、
を備え、
同一の前記給電子ユニットにおいて整列する給電子は、互いに電気的に接続されており、
前記給電子ユニットは、両端に軸端支持部を有する給電子ホルダを備え、前記給電子の位置制御が可能であり、
前記給電子ユニットは、直径が小さい円柱部分である軸部と、この軸部に所定の間隔で形成され、前記軸部よりも直径が大きい円柱部分からなり外周面にワイヤ案内用の溝を有する給電部とを有し、
前記軸部の端部の支持位置を回転させることによって、給電子の前記ワイヤとの接触面を変更可能に構成されたワイヤ放電加工装置。
【請求項３】
前記給電子ユニットの前記軸部の端が正多角柱に加工され、
前記給電子ユニットを支持する給電子ホルダの前記軸端支持部も前記正多角柱にくり貫き加工されている請求項２に記載のワイヤ放電加工装置。
【請求項４】
前記給電子ユニットは前記軸端支持部に転がり軸受けを備え、回転可能である請求項２または３に記載のワイヤ放電加工装置。
【請求項５】
前記給電子ユニットの軸端にスリップリングあるいは給電ブラシを備え、
前記加工電源から前記給電ブラシに給電される請求項４に記載のワイヤ放電加工装置。
【請求項６】
前記給電子ユニットは、前記並列ワイヤ部の配列幅方向全体にわたるように配置され、各給電子ユニットの幅方向で全ての前記給電子が重なり部を持たないように、等間隔で分散された請求項２に記載のワイヤ放電加工装置。
【請求項７】
４本の前記給電子ユニットを具備し、各給電子ユニットを構成する給電子は３本おきに、前記並列ワイヤ部に給電するように構成された請求項６に記載のワイヤ放電加工装置。
【請求項８】
前記複数の給電子ユニットは、それぞれが整列単位毎に一体成型された請求項１から７のいずれか１項に記載のワイヤ放電加工装置。
【請求項９】
請求項１から８のいずれか１項に記載のワイヤ放電加工装置を用いて、
前記給電子ユニットに対して前記加工電源から一括給電し、被加工物から複数枚の薄板を作製する薄板の製造方法。
【請求項１０】
請求項１から８のいずれか１項に記載のワイヤ放電加工装置を用いて、
前記給電子に対して前記加工電源から一括給電し、半導体素材から複数枚の半導体ウエハを作製する半導体ウエハの製造方法。
【国際調査報告】
2014188754.tif 000012
2014188754.tif 000013